(57)【要約】【課題】本発明は、通信した際に相手先の解像度の情報を相手先パラメータに保存しておくことにより、次回送信時に相手先の解像度に合わせた原稿を作成して間引き処理を行わないため、線がけ等が発生しないファクシミリ装置を提供することを目的とする。【解決手段】本発明のファクシミリ装置は、通信した際に相手先の解像度情報を取得し保存するための制御を行うパラメータ制御手段と、取得した相手先の解像度に合わせたＦＡＸ原稿を作成するＦＡＸ原稿作成手段とを有する。【選択図】　　　　図１
2004040442.tif 000002
【特許請求の範囲】
【請求項１】
通信した際に相手先の解像度情報を取得し保存するための制御を行うパラメータ制御手段と、取得した相手先の解像度に合わせたＦＡＸ原稿を作成するＦＡＸ原稿作成手段とを有することを特徴とするファクシミリ装置。
【請求項２】
ホスト装置側に通信結果を通知する際に取得した相手先の解像度情報を付加し、ホスト装置側は通信結果通知の内容から相手先の解像度情報を取り出し、ホスト装置側アドレス帳の相手先情報に付加する請求項１記載のファクシミリ装置。
【請求項３】
相手先の解像度能力をアドレス帳の宛先データに付加し、前記ＦＡＸ原稿作成手段により、相手先指定時にその相手先の解像度を参照してアプリケーションが指定してくる解像度ではなく相手先の有効解像度を優先して画像を生成する請求項２記載のファクシミリ装置。
【請求項４】
テンポラリで入力したＦＡＸ番号に対する解像度情報も保存し、次回と同じ番号に送信する際には当該解像度情報に基づいて画像を生成する請求項１〜３のいずれかに記載のファクシミリ装置。
【請求項５】
複数の相手先を指定され登録されている有効解像度が各々異なる場合には、最も低い解像度に合わせて画像を生成するか、登録されている有効解像度は無視しアプリケーションからの指定解像度で画像を作成するかのいずれかを選択する請求項１〜４のいずれかに記載のファクシミリ装置。
【発明の詳細な説明】
【０００１】
【発明の属する技術分野】
本発明はファクシミリ装置に関し、詳細に相手先の解像度を加味してＦＡＸ送信を行うファクシミリ装置に関する。
【０００２】
【従来の技術】
従来、ファクシミリ装置では送信先との回線接続後相手側の解像度能力を通知してもらい、その解像度に合わせた画像を送信している。よって、４００ｄｐｉで作成した画情報を相手先が２００ｄｐｉの能力しか持たない場合は２００ｄｐｉに間引きして送信している。
【０００３】
【発明が解決しようとする課題】
しかしながら、上記従来例によれば、間引きによる線欠けなどの問題がある。また、ＦＡＸ用の画像を作成するプリンタドライバは、通常アプリケーションから指定される解像度で画像を作成するため、低解像度のみ受信可能な相手先へでも、指定された高解像度の画像を作成し送信してしまう。また、ホスト装置から送られてくる画情報を一旦ＳＡＦに蓄積後メモリ送信を行う方式のＰＣＦＡＸでは、通信開始時にはすでに画情報が作成されているため間引きが発生する可能性がある。また、ホスト装置側で作成する画像はラインが水平であり、１ドットのライン等も作成されやすいため線がけが発生する頻度が高い。
【０００４】
本発明はこれらの問題点を解決するためのものであり、通信した際に相手先の解像度の情報を相手先パラメータに保存しておくことにより、次回送信時に相手先の解像度に合わせた原稿を作成して間引き処理を行わないため、線がけ等が発生しないファクシミリ装置を提供することを目的とする。
【０００５】
【課題を解決するための手段】
前記問題点を解決するために、本発明のファクシミリ装置は、通信した際に相手先の解像度情報を取得し保存するための制御を行うパラメータ制御手段と、取得した相手先の解像度に合わせたＦＡＸ原稿を作成するＦＡＸ原稿作成手段とを有することに特徴がある。よって、間引き処理を行わないため線がけ等の問題を防止できるファクシミリ装置を提供できる。
【０００６】
また、ホスト装置側に通信結果を通知する際に取得した相手先の解像度情報を付加し、ホスト装置側は通信結果通知の内容から相手先の解像度情報を取り出し、ホスト装置側アドレス帳の相手先情報に付加することにより、ホスト装置側で相手先の解像度情報を取得し認識でき、通信毎に解像度情報を更新することが可能となり、常に相手先の解像度に合わせた原稿を作成できる。
【０００７】
更に、相手先の解像度能力をアドレス帳の宛先データに付加し、前記ＦＡＸ原稿作成手段により、相手先指定時にその相手先の解像度を参照してアプリケーションが指定してくる解像度ではなく相手先の有効解像度を優先して画像を生成する。よって、相手先の解像度にあわせた画像を生成するため、間引きによる線がけなどが発生しない。
【０００８】
また、テンポラリで入力したＦＡＸ番号に対する解像度情報も保存し、次回と同じ番号に送信する際には当該解像度情報に基づいて画像を生成する。よって、アドレス帳に登録されていない宛先にでも、前回の履歴をもとに最適な解像度で送信が可能となる。
【０００９】
更に、複数の相手先を指定され登録されている有効解像度が各々異なる場合には、最も低い解像度に合わせて画像を生成するか、登録されている有効解像度は無視しアプリケーションからの指定解像度で画像を作成するかのいずれかを選択する。よって、線がけが発生しそうな画像では一番低い解像度に合わせて画像を作成することを選択できることにより、確実に線がけを防止できる。
【００１０】
【発明の実施の形態】
本発明のファクシミリ装置は、通信した際に相手先の解像度情報を取得し保存するための制御を行うパラメータ制御手段と、取得した相手先の解像度に合わせたＦＡＸ原稿を作成するＦＡＸ原稿作成手段とを有する。
【００１１】
【実施例】
図１は本発明のファクシミリ装置の構成を示すブロック図である。同図において、本発明のファクシミリ装置１０は、読取部１１、記録部１２、操作表示部１３、画像メモリ１４、操作部１５、通信制御部１６、符号化復号化部１７、ＳＡＦ１８、パラメータ制御部１９、ネットワークＩ／Ｆ２０を含んで構成されている。そして、各構成部は内部バス２１を介して接続されている。また、通信制御部１６及び符号化復号化部１７には、モデム２２が接続されている。更に、ネットワークＩ／Ｆ２０は、ＬＡＮ４０を介してホスト装置３０と接続されている。
【００１２】
そして、読取部１１は原稿を読み取る。記録部１２は受信した画情報やレポート、マークシート等を記録する。操作表示部１３は操作内容を表示する。画像メモリ１４は画情報を必要に応じて蓄積保存する。操作部１５はキー、ＬＥＤ、ＬＣＤ等を設けてユーザの入力操作を許す。通信制御部１６は伝送制御を司る。符号化復号化部１７は画情報を符号化・復号化を行う。ＳＡＦ１８は画情報を一時格納する。パラメータ制御部１９は相手先パラメータに相手先の受信可能解像度を保存するための制御を司る。ネットワークＩ／Ｆ２０はネットワーク網と繋げるためのインターフェースであり、例えばＮＩＣ（Ｎｅｔｗｏｒｋ　Ｉｎｔｅｒｆａｃｅ　Ｃａｒｄ）等である。機器側はモデム２２および公衆回線網を介して原稿を送信する。通信制御部１６により送り手側とのプロトコルのやりとりにより相手先の受信解像度能力を取得しパラメータ制御部１９により相手先パラメータに相手先の受信可能解像度を保存する。
【００１３】
図２は図１のホスト装置側モジュールの構成を示す図である。同図に示すホスト装置側モジュールとして、アプリケーション３１、ＰＣＦＡＸドライバ３２、スプーラ３３、ボートモニタ３４、アドレス帳データメモリ３５及びテンポラリ宛先データメモリ３６を含んで構成されている。ポートモニタ３４は、機器本体側からの送信結果を後述する図３の送信結果取得フローに従って取得する。機器本体からの送信結果情報に付加された相手先の有効解像度を、アドレス帳データメモリ３５の宛先情報に付加し保存する。また、取得した相手先情報がテンポラリのＦＡＸ番号だった場合はテンポラリ宛先データメモリ３６に保存する。
【００１４】
図３は本実施例におけるファクシミリ装置の送信結果取得動作を示すフローチャートである。同図において、先ず機器本体からの送信結果情報を待ち、送られた送信結果情報及び相手先解像度情報を取得する（ステップＳ１０１，Ｓ１０２）。そして、図２のアドレス帳データメモリ３５の宛先情報を更新し、送信結果を表示する（ステップＳ１０３，Ｓ１０４）。
【００１５】
図４は本実施例におけるファクシミリ装置のＰＣＦＡＸドライバの動作を示すフローチャートである。同図において、先ず、アプリケーションから印刷実行されると相手先入力画面を表示し送信先を指定され（ステップＳ２０１）、その際に指定された相手先の有効解像度を取得するとともに、指定宛先がテンポラリの番号だった場合は、図２のテンポラリ宛先データメモリ３６内を検索し一致する番号があった場合はその番号に割り当てられている有効解像度を取得する（ステップＳ２０２）。もし、相手先が複数で相手先有効解像度優先を指定されていない場合は、ドライバはアプリケーションから指定された解像度で画情報を作成する（ステップＳ２０３；ＮＯ、ステップＳ２０４）。相手先が一件、あるいは相手先解像度優先を指定されている場合は、図２のＰＣＦＡＸドライバ３２により相手先有効解像度（複数の場合は一番低い解像度）で画像を生成する（ステップＳ２０３；ＹＥＳ、ステップＳ２０５）。作成した画情報は圧縮し機器本体が認識可能なデータフォーマットに変換し図２のスプーラ３３、ポートモニタ３４を介して機器本体へ出力される（ステップＳ２０６）。
【００１６】
なお、本発明は上記実施例に限定されるものではなく、特許請求の範囲内の記載であれば多種の変形や置換可能であることは言うまでもない。
【００１７】
【発明の効果】
以上説明したように、本発明のファクシミリ装置は、通信した際に相手先の解像度情報を取得し保存するための制御を行うパラメータ制御手段と、取得した相手先の解像度に合わせたＦＡＸ原稿を作成するＦＡＸ原稿作成手段とを有することに特徴がある。よって、間引き処理を行わないため線がけ等の問題を防止できるファクシミリ装置を提供できる。
【００１８】
また、ホスト装置側に通信結果を通知する際に取得した相手先の解像度情報を付加し、ホスト装置側は通信結果通知の内容から相手先の解像度情報を取り出し、ホスト装置側アドレス帳の相手先情報に付加することにより、ホスト装置側で相手先の解像度情報を取得し認識でき、通信毎に解像度情報を更新することが可能となり、常に相手先の解像度に合わせた原稿を作成できる。
【００１９】
更に、相手先の解像度能力をアドレス帳の宛先データに付加し、前記ＦＡＸ原稿作成手段により、相手先指定時にその相手先の解像度を参照してアプリケーションが指定してくる解像度ではなく相手先の有効解像度を優先して画像を生成する。よって、相手先の解像度にあわせた画像を生成するため、間引きによる線がけなどが発生しない。
【００２０】
また、テンポラリで入力したＦＡＸ番号に対する解像度情報も保存し、次回と同じ番号に送信する際には当該解像度情報に基づいて画像を生成する。よって、アドレス帳に登録されていない宛先にでも、前回の履歴をもとに最適な解像度で送信が可能となる。
【００２１】
更に、複数の相手先を指定され登録されている有効解像度が各々異なる場合には、最も低い解像度に合わせて画像を生成するか、登録されている有効解像度は無視しアプリケーションからの指定解像度で画像を作成するかのいずれかを選択する。よって、線がけが発生しそうな画像では一番低い解像度に合わせて画像を作成することを選択できることにより、確実に線がけを防止できる。
【図面の簡単な説明】
【図１】本発明のファクシミリ装置の構成を示すブロック図である。
【図２】ホスト装置側モジュールの構成を示す図である。
【図３】本実施例におけるファクシミリ装置の送信結果取得動作を示すフローチャートである。
【図４】本実施例におけるファクシミリ装置のＰＣＦＡＸドライバの動作を示すフローチャートである。
【符号の説明】
１０；ファクシミリ装置、１１；読取部、１２；記録部、１３；操作表示部、１４；画像メモリ、１５；操作部、１６；通信制御部、１７；符号化復号化部、
１８；ＳＡＦ、１９；パラメータ制御部、２０；ネットワークＩ／Ｆ、
２１；内部バス、２２；モデム、３０；ホスト装置、４０；ＬＡＮ。
【図１】
2004040442.tif 000003
【図２】
2004040442.tif 000004
【図３】
2004040442.tif 000005
【図４】
2004040442.tif 000006